(57)【要約】【課題】人間の電子情報を入手希望するものが端末装置を介して前記人間の電子情報を入手する事が出来、人間の情報である脳波を仮想空間で利用することが出来る、人間情報の入手サービスを実現する。【解決手段】人間の脳の電子情報を入手希望するものが端末装置を介して前記人間の脳の電子情報を入手する事が出来、人間の情報である脳波を仮想空間での利用することが出来る、人間情報の入手方法方法およびそのシステムおよび同方法がプログラムされ記録された記録媒体を提供する。【選択図】図１
2004094893.tif 000002
【特許請求の範囲】
【請求項１】
人間の脳の電子情報を入手希望するものが端末装置を介して前記人間の脳の電子情報を入手することを特徴とする人間情報の入手方法。
【請求項２】
前記人間の脳の電子情報は、該脳の外部メモリーに記録された電子情報で、更に人間又は機械に入力／再入力及び利用可能である電子情報であることを特徴とする請求項１記載の人間情報の入手方法。
【請求項３】
人間の脳の電子情報を入手希望するものが端末装置を介して前記人間の脳の電子情報を入手するシステムであって、
前記入手希望者が希望する人間の脳の電子情報を保存／送信する電子情報部と、
前記入手希望者との間で対話を行い、前記入手希望者と前記電子情報のやり取りを制御するマンマシン制御部と、
前記人間の脳の電子情報の判断基準を制御する情緒エンジンと、
を備えたことを特徴とする人間情報システム。
【請求項４】
人間の脳の電子情報を入手希望するものが端末装置を介して前記人間の脳の電子情報を入手するシステムに用いられるコンピュータ読みとり可能なプログラムであって、
前記プログラムは、
該脳の外部メモリーに記録された電子情報で、更に人間又は機械に入力／再入力及び利用可能である電子情報を配信する第一ステップと、
前記端末装置を介して入手希望者との間で対話を行い、送信する人間の脳の電子情報を制御する第二ステップと、
前記人間の脳の電子情報の判断基準を制御する第三ステップとからなり、
上記各ステップをコンピュータに実行させることを特徴とする記録媒体。
【発明の詳細な説明】
【０００１】
【発明の属する技術分野】
本発明は、人間情報の入手方法およびそのシステムおよび同方法がプログラムされ記録された記録媒体に関する。
【０００２】
【従来の技術】
脳のデータ化としては脳波を電気信号として利用することが、特開平１０−２０７５９２及び米国Ｄｏｂｅｌｌｅ　Ｇｒｏｕｐ等から様々な提案がされてい　る。
一方、ゲームではプロ野球選手などの外部、成績といった人間の情報を用いて、楽しめるようになってきている。
このような状況の中で人間データを用いて、実体験に近づけるべき努力をしているところである。
【０００３】
【発明が解決しようとする課題】
ところが、ゲームにおいてはプロ野球選手などの外観、成績といった情報であり、現実に近い情緒についての情報は加味されていない。
また、人間の情報である脳波の仮想空間での利用に対する対応はなされていない。
すなわち、より現実に近い形での人間情報を好きな時に好きな場所で利用することはできない。
【０００４】
本発明は上述した背景に鑑みてなされたものであり、人間の脳の電子情報を入手希望するものが端末装置を介して前記人間の脳の電子情報を入手する事が出来、人間の情報である脳波を仮想空間で利用することが出来る、人間情報の入手方法およびそのシステムおよび同方法がプログラムされ記録された記録媒体を提供することを目的とする。
【０００５】
【課題を解決するための手段】
上述した課題を解決するために請求項１に記載の発明は、人間の脳の電子情報を入手希望するものが端末装置を介して前記人間の脳の電子情報を入手することを特徴とする。
【０００６】
また、請求項２に記載の発明は、請求項１記載の人間情報の入手方法において、人間の脳の電子情報は、該脳の外部メモリーに記録された電子情報で、更に人間又は機械に入力／再入力及び利用可能である電子情報であることを特徴とする。
【０００７】
上述した課題を解決するために請求項３に記載の発明は、人間の脳の電子情報を入手希望するものが端末装置を介して前記人間の脳の電子情報を入手するシステムであって、前記入手希望者が希望する人間の脳の電子情報を保存／送信する電子情報部と前記入手希望者との間で対話を行い、前記入手希望者と前記電子情報のやり取りを制御するマンマシン制御部と前記人間の脳の電子情報の判断基準を制御する情緒エンジンとを備えたことを特徴とする。
【０００８】
また、請求項４に記載の発明は、人間の脳の電子情報を入手希望するものが端末装置を介して前記人間の脳の電子情報を入手するシステムに用いられるコンピュータ読みとり可能なプログラムであって、前記プログラムは、該脳の外部メモリーに記録された電子情報で、更に人間又は機械に入力／再入力及び利用可能である電子情報を配信する第一ステップと、前記端末装置を介して入手希望者との間で対話を行い、送信する人間の脳の電子情報を制御する第二ステップと、前記人間の脳の電子情報の判断基準を制御する第三ステップとからなり、上記各ステップをコンピュータに実行させることを特徴とする。
【０００９】
【発明の実施の形態】
図１は、本発明における人間情報サービスを実現する利用主体の相互関係を説明するために引用した図である。
ここでは、管理運営部門、クレジット会社、サービス受託部門、利用者が利用主体となり、それぞれがサーバ（管理運営サーバ１、クレジット会社サーバ２）、パソコン等のサービス受託端末３、パソコン又は携帯電話等の端末装置４を所有し、インターネット網あるいは電話回線、通信回線５を介して接続される。
管理運営サーバ１は後述するように、サービス受託者ＤＢ、電子情報ＤＢを、クレジット会社サーバ２はサービス受託者ＤＢをそれぞれデータベースとして持つ。
【００１０】
図１において、管理運営サーバ１から通信回線５経由で配信し、利用者が、受信端末４を介して受信し、管理運営サーバ１と対話をすることによって希望する人間情報をストリーミングで受信する。
サービス受託端末３は、利用者の利用サービス及び利用者情報を入力するものであり、管理運営サーバ１は、利用者の照合およびロボット情報の配信する業務を行い、クレジット会社サーバ２は利用代金の支払い及び利用者の照合業務を行う。
なお、利用代金の支払いはクレジット会社サーバ２を用いたが、別の方法でも良い。
【００１１】
図２は、図１に示す管理運営サーバ１の内部構造を機能展開して示したブロック図である。後述する各ブロックは、具体的には、ＣＰＵならびにその周辺回路から構成され、所定の記録媒体に記録されたプログラムを読み出し実行されることによりその機能が実現される。
【００１２】
本発明における管理運営サーバ１は、電子情報配信部１１、マンマシン制御部１２、情緒エンジン１３からなるサーバ本体１０と、サービス受託者ＤＢ１４と、電子情報ＤＢ１５で構成される。
電子情報配信部１１は、利用者の端末装置４に通信回線５経由で配信する機能、更に利用者の希望する電子情報を配信する機能を持つ。マンマシン制御部１２は、端末装置４を介して利用者が希望するものとの間で対話を行い、受信を許可し、また、進行を制御する機能を、情緒エンジン１３は人間の脳の電子情報の判断基準を制御する機能を持つ。
サービス受託者ＤＢ１４は利用者データが、電子情報ＤＢ１５は、服装、背景という個人情報に関係のない情報の一般電子情報ＤＢ１６、利用者と送受信を行うための通信電子情報ＤＢ１７、利用者と送受信を終了後の最新情報を通信回線と切断した状態でバックアップするバックアップ電子情報ＤＢ１８、初期の個人の脳の電子情報を保存した初期電子情報ＤＢ１９が格納される。
更に前記初期電子情報ＤＢ１９に格納される電子情報は、本人、又は第三者の少なくとも一方のアンケートによる電子情報、本人の心理テストの電子情報を含んでも良い。これにより、感情及び個性という点で現実により近い情報とすることが可能となる。
また、前記初期電子情報ＤＢ１９に格納される電子情報は前記管理運営部門の専用回線による送信、又は前記管理部門へ回線を用いない郵送手段で送付する。
なお、電子情報ＤＢ１５のそれぞれのＤＢは個人別に記録媒体物理的に独立、又はシステム的に独立さてれ構成されている。
【００１３】
図３乃至図５は、本発明実施形態の動作を説明するために引用したフローチャートであり、事前登録、全体動作、配信スタート、のそれぞれにおける利用主体の動作手順が示されている。
図６乃至図８は、図３乃至図５に示されるフローチャートの進捗過程において端末装置４に示される表示画面構成の一例を示す図である。
以下、図３〜図５に示すフローチャート、ならびに図６乃至図８に示す利用者端末画面を参照しながら、図１、図２に示す本発明実施形態の動作について詳細に説明する。
【００１４】
図３は、本発明システムの事前登録の流れをブロックで示したフローチャートである。事前登録は、パソコン等の端末にて希望するサービスの登録（ステップＳ３１）、ＩＤ登録（ステップＳ３２）のそれぞれを実行し、サービス受託者ＤＢ１４にデータが保存される。
【００１５】
図４は、本発明システムの全体動作の流れをブロックで示したフローチャートである。本発明の管理運営サーバ１は、照合（ステップＳ４１）、電子情報配信スタート（ステップＳ４２）のそれぞれを実行し、この手順は本発明と密接に関係するため、図５にその手順が詳細に示されている。
まず、図５に示す「照合」の手順から説明する。まず、利用者は、受信端末４を操作して管理運営のサイトを訪れることにより、図６に示す画面を表示する事ができる（ステップＳ４１１）。ここで利用者は、受信端末４を操作して生年月日、免許ナンバー、登録ナンバー等を入力する（ステップＳ４１２）。このことにより、管理運営サーバ１は、利用者ＤＢと照合を行う（ステップＳ４１３）。照合の結果、登録者でなかった場合はその旨、利用者に連絡する（ステップＳ４１４）。登録者であった場合は、利用スタート釦をクリックすることにより、許可されている電子情報ＤＢ１５にアクセス出来、図７に示すような画像及び音声の配信が開始される（ステップＳ４１５）。
なお、登録者照合は登録者確認が可能で有ればよく、音声認識、指紋認識、眼球認識の少なくとも１つの手段をもちいてもよい。
【００１６】
以上、本発明の実施形態を図面を参照して詳述してきたが、具体的な構成はこの実施形態に限られるものではなく、この発明の要旨を逸脱しない範囲の設計等も含まれる。
【００１７】
【発明の効果】
以上説明のように本発明のよれば、人間の脳の電子情報を入手希望するものが端末装置を介して前記人間の脳の電子情報を入手する事が出来、人間の情報である脳波を仮想空間で利用することが出来る、人間情報の入手方法方法およびそのシステムおよび同方法がプログラムされ記録された記録媒体を提供する。
【図面の簡単な説明】
【図１】本発明における人間情報の入手サービス実現する利用主体の相互関係を説明するために引用した図である。
【図２】図１における管理運営サーバの内部構成を機能展開して示したブロック図である。
【図３】本発明実施形態における事前登録の動作手順をフローチャートで示した図である。
【図４】図３に示すフローチャート中、全体動作の詳細手順をフローチャートで示した図である。
【図５】図４に示すフローチャート中、「配信スタート」動作の詳細手順をフローチャートで示した図である。
【図６】図１に示す受信端末に表示される表示画面構成の一例を示す図である。
【図７】図１に示す受信端末に表示される表示画面構成の一例を示す図である。
【符号の説明】
１　管理運営サーバ
２　クレジット会社サーバ
３　登録サービス受託端末
４　端末装置
５　通信回線
１０　管理運営サーバ本体
１１　電子情報配信部
１２　マンマシン制御部
１３　サービス受託者ＤＢ
１４　情緒エンジン
１５　電子情報ＤＢ
１６　一般電子情報ＤＢ
１７　通信電子情報ＤＢ
１８　バックアップ電子情報ＤＢ
１９　初期電子情報ＤＢ
【図１】
2004094893.tif 000003
【図２】
2004094893.tif 000004
【図３】
2004094893.tif 000005
【図４】
2004094893.tif 000006
【図５】
2004094893.tif 000007
【図６】
2004094893.tif 000008
【図７】
2004094893.tif 000009